(57)【特許請求の範囲】
【請求項１】
複数本のカートリッジ式ガスボンベを並列収容するケース(３)内に内部にガス通路(４)を形成してなる基板(５)を配置し、この基板(５)にカートリッジ式ガスボンベのガス取り出し部を装着接続するための接続具(６)を前記ガス通路(４)に連通接続する状態で複数個連結固定するとともに、該ガス通路(４)に流路開閉弁(８)及びレギュレータ(９)を装着したガス取り出し路(７)を連通接続したカートリッジ式ガスボンベを用いたガス集合装置において、
ケース(３)内に基板(５)を縦向きに配置するとともに、カートリッジ式ガスボンベ(Ｂ)に沿う凹曲面で形成したボンベ支持部(14)を３つ並設した下板(14)と、真ん中のボンベ支持部分(13)の両側部分の下板(14)から上側ボンベ支持部(15)を形成する上板(16)をそれぞれ立ち上げ、上板(16)の上端部をそれぞれ外側に折り曲げ形成した折り曲げ翼板部分に前述の上側ボンベ支持部(15)を凹陥形成し、左右上板(16)の上下中間部分を連結板(17)で連結して構成した瓦斯ボンベ支持枠(12)をケース(３)内に装着し、連結板(17)の上方空間部に流路開閉弁(８)とレギュレータ(９)が配置してあることを特徴とするカートリッジ式ガスボンベを用いたガス集合装置。
【請求項２】
レギュレータ(９)が取り出しガス圧力を選択切り換え可能に構成してある請求項１に記載のカートリッジ式ガスボンベを用いたガス集合装置。
【発明の詳細な説明】
【０００１】
【発明の属する技術分野】
本発明は、持ち運びが簡便で取り扱いやすいカートリッジ式ガスボンベを複数本集合させてガス器具の燃料源とするためのガス集合装置に関する。
【０００２】
【従来の技術及びその問題点】
キャンピングカーで使用するガス燃焼器具や、イベント等で使用するガス燃焼器具、あるいは、アウトドアで強い火力を必要とするガス燃焼器具のガス源として、従来から３Ｌクラスや１０Ｌクラスの液化石油ガス容器が使用されている。ところが、３Ｌクラスや１０Ｌクラスのガス容器は重く、持ち運びにくいという問題があった。また、３Ｌクラスや１０Ｌクラスのガス容器に充填されているガス量は多く、１回で使い切れないことが多く、容器内にガスを残したまま放置されることもあった。
【０００３】
一方、２５０ｇ程度のカートリッジ式ガスボンベを使用する燃焼器具も多数提供されている。このカートリッジ式ガスボンベは持ち運びが簡便であるうえ、取り扱い易いという利点がある。しかし、カートリッジ式ガスボンベは容量が少ないことから、強い火力を必要とする場合や長時間連続して使用するような場合には不向きであるという問題がある。
【０００４】
本発明はこのような点に着目してなされたもので、小型軽量で取り扱いやすく、持ち運びに便利なカートリッジ式ガスボンベを使用して、短時間に大流量あるいは長時間にわたってガスを使用することのできるカートリッジ式ガスの集合装置を提供することを目的とする。
【０００５】
【課題を解決するための手段】
上述の目的を達成するために本発明は、複数本のカートリッジ式ガスボンベを収容するケース内に内部にガス通路を形成してなる基板を配置し、この基板にカートリッジ式ガスボンベのガス取り出し部を装着接続するための接続具を前記ガス通路に連通接続する状態で複数個連結固定するとともに、該ガス通路に流路開閉弁及びレギュレータを装着したガス取り出し路を連通接続したカートリッジ式ガスボンベを用いたガス集合装置において、ケース内に基板を縦向きに配置するとともに、カートリッジ式ガスボンベに沿う凹曲面で形成したボンベ支持部を３つ並設した下板と、真ん中のボンベ支持部分の両側部分の下板から上側ボンベ支持部を形成する上板をそれぞれ立ち上げ、上板の上端部をそれぞれ外側に折り曲げ形成した折り曲げ翼板部分に前述の上側ボンベ支持部を凹陥形成し、左右上板の上下中間部分を連結板で連結して構成したガスボンベ支持枠をケース内に装着し、連結板の上方空間部に流路開閉弁とレギュレータが配置してあることを特徴としている。
【０００６】
【発明の作用】
本発明では、ケース内に配置した基板に複数のガスボンベ接続具を固定し、各ガスボンベをそれぞれ連通接続させてガス通路とするとともに、このガス通路にレギュレータを有するガス取り出し路を連通接続させているので、レギュレータでの取り出しガスの設定圧力が低い場合には、トータル貯蔵容量が増加する分だけ長時間燃焼させることかでき、レギュレータでの取り出しガスの設定圧力が高い場合には、大流量のガスを供給することが可能となる。
【０００７】
また、ガスボンベの支持枠をガスボンベに沿う凹曲面で形成した上下の板で構成して、横向き姿勢で保持するようにしていることから、各カートリッジ式ガスボンベ内での液面の表面積を広くすることができるうえ、ボンベ周面からの入熱量も大きくすることができ、効率よく気化させることになる。
【０００８】
さらに、請求項３に記載したように、レギュレータの取り出しガス圧力を選択切り換え可能に構成した場合には、長時間連続使用状態と、大火力使用状態や複数の燃焼機器使用状態とに応じた取り出しガス流量に容易に選択切換調整することができることになる。
【０００９】
【発明の実施の形態】
図は本発明の一つの実施形態を示し、図１は縦断面図、図２は要部の取り出しと斜視図である。
このカートリッジ式ガスボンベ集合装置は、一側面を開口に形成した本体部分（１）と、開口端縁の下縁部分に開閉揺動可能に枢着された蓋体（２）とからなるケース（３）の内部に、内部にガス通路（４）を形成した基板（５）を立設配置し、基板（５）に複数のガスボンベ接続具（６）を前記ガス通路（４）に連通接続する状態で固定するとともに、ガス通路（４）にガス取り出し路（７）を連通接続させてある。
【００１０】
ガス取り出し路（７）には、ガス通路（４）側から流路開閉弁（８）とレギュレータ（９）とが介装してあり、流路開閉弁（８）の操作具（１０）と、レギュレータ（９）の取り出し圧力調整具（１１）とは、ケース（３）における本体部分（１）の上壁外に突出する状態に配置してある。
【００１１】
また、このケース本体部分（１）の内部にはカートリッジ式ガスボンベ（Ｂ）の支持枠（１２）が装着固定してある。このガスボンベ支持枠（１２）は、ガスボンベ（Ｂ）の外周面に沿う凹曲面で形成したボンベ支持部（１３）を３つ並設した下板（１４）と、真ん中のボンベ支持部分（１３）の両側部分の下板（１４）から上側ボンベ支持部（１５）を形成する上板（１６）をそれぞれ立ち上げ、上板（１６）の上端部をそれぞれ外側に折り曲げ形成した折り曲げ翼板部分に前述の上側ボンベ支持部（１５）を凹陥形成し、左右上板（１６）の上下中間部分を連結板（１７）で連結した構造になっている。
【００１２】
基板（５）に連結固着したガスボンベ接続具（６）は、図３及び図４に示すように、基板（５）に固着した本体ブロック（１８）と、この本体ブロック（１８）に一定範囲内で回動可能に支持させた拡開リング（１９）と、本体ブロック（１８）に止着固定したカム筒（２０）とで構成してある。本体ブロック（１８）には逆止弁室（２１）が形成してあり、その逆止弁室（２１）の奥端部をガス通路（４）に連通させるとともに、ガスボンベ（Ｂ）の装着時にガス取出ノズル（２２）を受け止めて開弁する逆止弁（２３）が装着してある。なお、この逆止弁（２３）はガスボンベ（Ｂ）の非装着時には逆止弁室（２１）のボンベ装着端部側に形成した弁座（２４）部分に当接して基板（５）に形成したガス通路（４）からのガス流出を止めるようにしてある。
【００１３】
拡開リング（１９）は、合成樹脂で形成してあり、ガスボンベ（Ｂ）のノズル側端面に形成した鍔（２５）に形成されている切欠き部に嵌係合する突起（２６）を外周部分での一部に形成するとともに、カム筒（２０）の外周面に沿って突出する４枚の係合片（２７）を一体に連出することにより形成してある。なお、この係合片（２７）はガスボンベ（Ｂ）のノズル部分の外周を覆う状体で配置した筒壁内周面に当接するように構成してある。
【００１４】
カム筒（２０）は、内部にガスボンベ（Ｂ）のノズル基部嵌合孔（２８）を形成するとともに、奥端部にガスボンベ（Ｂ）のノズル（２２）を挿通させるボンベノズル挿通孔（２９）が開通させてあり、カム筒（２０）の外周面には拡開リング（１９）の係合片（２７）の内周面に作用して該係合片（２７）を拡開変形させるカム突起（３０）が形成してある。
【００１５】
上述のように構成したカートリッジ式ガスボンベ集合装置では、下側に３本、上側に２本配置したカートリッジガスボンベ（Ｂ）に貯蔵されている液化石油ガスを集合して取り出すことができるから、あたかも大容積のガス貯蔵ボンベを接続したと同様に大量のガスを燃焼器具に供給することが可能となる。
【００１６】
【発明の効果】
本発明では、ケース内に配置した基板に複数のガスボンベ接続具を固定し、各ガスボンベをそれぞれ連通接続させてガス通路とするとともに、このガス通路にレギュレータを有するガス取り出し路を連通接続させているので、レギュレータでの取り出しガスの設定圧力が低い場合には、トータル貯蔵容量が増加する分だけ長時間燃焼させることかでき、レギュレータでの取り出しガスの設定圧力が高い場合には、大流量のガスを供給することが可能となる。
【００１７】
また、ガスボンベの支持枠をガスボンベに沿う凹曲面で形成した上下の板で構成して、横向き姿勢で保持するようにしていることから、各カートリッジ式ガスボンベ内での液面の表面積を広くすることができるうえ、ボンベ周面からの入熱量も大きくすることができ、効率よく気化させることができる。
【００１８】
さらに、請求項３に記載したように、レギュレータの取り出しガス圧力を選択切り換え可能に構成した場合には、長時間連続使用状態と、大火力使用状態や複数の燃焼機器使用状態とに応じた取り出しガス流量に容易に選択切換調整することができることになる。
【図面の簡単な説明】
【図１】図１はカートリッジ式ガスボンベ集合装置の縦断面図である。
【図２】要部の取り出し斜視図である。
【図３】ガスボンベ接続具の外観図である。
【図４】図３のｉｖ−ｉｖ線断面図である。
【符号の説明】
３…ケース、４…ガス通路、５…基板、６…接続具、７…ガス取り出し路、８…流路開閉弁、９…レギュレータ、１２…支持枠。
【図１】
0003564328.tif 000002
【図２】
0003564328.tif 000003
【図３】
0003564328.tif 000004
【図４】
0003564328.tif 000005